(57)【要約】【課題】操作対象の画像表示装置を簡易に遠隔操作できる表示システム及び画像表示装置を提供すること。【解決手段】画像供給装置２及び画像表示装置３を備えた表示システム１は、画像表示装置３に接続するための接続情報に係るコードを生成するコード生成装置と、当該コードを出力するコード出力装置と、接続情報に基づいて画像表示装置３と通信接続する通信端末４とを備える。画像表示装置３は、当該画像表示装置３を操作する操作画面を送信する操作画面送信手段と、操作画面に対する操作に応じて画像表示装置３を制御する動作制御手段とを備える。通信端末４は、コードを取得するコード取得手段と、当該コードから接続情報を取得する接続情報取得手段と、接続情報に基づいて画像表示装置３との通信接続を確立する接続確立手段と、画像表示装置から操作画面を取得する操作画面取得手段と、操作画面にて画像表示装置３を操作する操作手段とを備える。【選択図】図１
2009253890.tif 000002
【特許請求の範囲】
【請求項１】
画像データを供給する画像供給装置と、前記画像データに応じた画像を表示する画像表示装置とを備えた表示システムであって、
前記画像表示装置に通信接続するための接続情報に係るコードを生成するコード生成装置と、
生成された前記コードを出力するコード出力装置と、
前記接続情報に基づいて前記画像表示装置と通信接続する通信端末とを備え、
前記画像表示装置は、
通信接続が確立された前記通信端末に、前記画像表示装置を操作する操作画面を送信する操作画面送信部と、
前記操作画面に対する操作に応じて、前記画像表示装置を制御する動作制御部とを備え、
前記通信端末は、
前記コードを取得するコード取得部と、
取得された前記コードから、前記接続情報を取得する接続情報取得部と、
取得された前記接続情報に基づいて、前記画像表示装置との通信接続を確立する接続確立部と、
通信接続が確立した前記画像表示装置から前記操作画面を取得する操作画面取得部と、
取得された前記操作画面にて、前記画像表示装置を操作する操作部とを備えることを特徴とする表示システム。
【請求項２】
請求項１に記載の表示システムにおいて、
前記画像表示装置は、前記コード出力装置であり、
前記画像表示装置は、
前記コード生成装置により生成された前記コードを含む画像を生成し、前記コードを含む画像を表示するコード表示部を備え、
前記通信端末は、
前記コードを撮像する撮像手段を備え、
前記コード取得部は、前記撮像手段により撮像された前記コードに係る画像を取得することを特徴とする表示システム。
【請求項３】
請求項１又は請求項２に記載の表示システムにおいて、
前記画像表示装置は、前記コード生成装置であり、
前記画像表示装置は、前記コードを生成するコード生成部を備えることを特徴とする表示システム。
【請求項４】
請求項１から請求項３のいずれかに記載の表示システムにおいて、
前記コードは、２次元コードであることを特徴とする表示システム。
【請求項５】
請求項１から請求項４のいずれかに記載の表示システムにおいて、
前記接続情報は、前記画像表示装置に設定されたＵＲＬであり、
前記操作画面は、Ｗｅｂページとして送信されることを特徴とする表示システム。
【請求項６】
入力される画像データに応じた画像を表示する画像表示装置であって、
当該画像表示装置に通信端末が通信接続するための接続情報に係るコードを生成するコード生成部と、
前記コード生成部により生成された前記コードを含む画像を表示するコード表示部と、
前記接続情報に基づく通信接続が確立された前記通信端末に、当該画像表示装置を操作するための操作画面を送信する操作画面送信部と、
前記操作画面に対する操作に応じて、当該画像表示装置を制御する動作制御部とを備えることを特徴とする画像表示装置。
【発明の詳細な説明】
【技術分野】
【０００１】
本発明は、画像データを供給する画像供給装置と、当該画像データに応じた画像を表示する画像表示装置を備えた表示システム、及び、当該画像表示装置に関する。
【背景技術】
【０００２】
従来、ＰＣ（Personal Computer）等により構成された画像供給装置と、当該画像供給装置から送信される画像データに応じた画像を表示する画像表示装置とを備えた表示システムが知られている。このような画像表示装置として、プロジェクタ及び各種ディスプレイを例示することができる。このうち、プロジェクタは、比較的大きな画像を形成及び表示することができるので、プレゼンテーション等に好適に利用される。
【０００３】
このようなプロジェクタを用いた表示システムとして、複数のプロジェクタを備え、各プロジェクタの画像投射領域を並列配置することで大画面及び大画素数を実現するタイリング方式のマルチプロジェクションシステムと、各プロジェクタの画像投射領域を重畳させることで高輝度及び高時間分解能を実現するスタッキング方式のマルチプロジェクションシステムが知られている。
【０００４】
ところで、このようなプロジェクタは、リモコンが付属されている場合が多く、当該リモコンにより、操作信号を赤外線にてプロジェクタに送信することにより、当該プロジェクタを遠隔操作することができる。
しかしながら、前述のマルチプロジェクションシステムを構成するプロジェクタのうち、所望のプロジェクタを遠隔操作しようとして１台のリモコンから操作信号を送信すると、当該操作信号が複数のプロジェクタにて受信されてしまう状態が考えられる。このような状態で、各プロジェクタが同一機種である場合には、操作対象のプロジェクタだけでなく、操作信号を受信した操作対象外のプロジェクタも、当該操作信号に応じて動作してしまうという問題がある。
【０００５】
このような問題に対し、操作対象の機器が選択されると、当該機器に応じた操作信号を送信するリモコンが知られている（例えば、特許文献１参照）。
この特許文献１に記載のリモコンでは、まず、リモコンがＩＤコード要求信号を送信すると、当該信号の送信範囲内の全ての機器から、それぞれのＩＤコードが受信される。そして、リモコンは、受信したＩＤコードに対応する機器制御情報をメモリから読み出して、受信されたＩＤコードに対応する機器名を、タッチパネル付ＬＣＤにより表示する。そして、使用者は、表示された機器名を選択して操作対象を特定し、操作キーエリアに表示された操作キーを入力することで、当該操作対象及び入力操作に応じた操作信号が赤外線にて、送信される。これにより、所望の機器を遠隔操作することができる。
【０００６】
【特許文献１】特開２００１−２４５３７１号公報
【発明の開示】
【発明が解決しようとする課題】
【０００７】
ここで、特許文献１に記載のリモコンでは、受信されるＩＤコードに応じた機器制御情報がリモコンのメモリ内に記憶されている場合は、操作対象となる機器の特定、及び、これに基づく操作信号の生成を行うことができる。しかしながら、該当する機器制御情報がメモリに記憶されていない場合には、当該機器制御情報をリモコンに登録する必要があり、リモコンによる遠隔操作が煩雑となる。このため、操作対象の機器と簡易に通信接続でき、当該操作対象を簡易に操作することができる構成が望まれてきた。
【０００８】
本発明の目的は、操作対象の画像表示装置を簡易に遠隔操作することができる表示システム及び画像表示装置を提供することである。
【課題を解決するための手段】
【０００９】
前記した目的を達成するために、本発明の表示システムは、画像データを供給する画像供給装置と、前記画像データに応じた画像を表示する画像表示装置とを備えた表示システムであって、前記画像表示装置に通信接続するための接続情報に係るコードを生成するコード生成装置と、生成された前記コードを出力するコード出力装置と、前記接続情報に基づいて前記画像表示装置と通信接続する通信端末とを備え、前記画像表示装置は、通信接続が確立された前記通信端末に、前記画像表示装置を操作する操作画面を送信する操作画面送信部と、前記操作画面に対する操作に応じて、前記画像表示装置を制御する動作制御部とを備え、前記通信端末は、前記コードを取得するコード取得部と、取得された前記コードから、前記接続情報を取得する接続情報取得部と、取得された前記接続情報に基づいて、前記画像表示装置との通信接続を確立する接続確立部と、通信接続が確立した前記画像表示装置から前記操作画面を取得する操作画面取得部と、取得された前記操作画面にて、前記画像表示装置を操作する操作部とを備えることを特徴とする。
【００１０】
本発明によれば、通信端末は、コード出力装置により出力されたコードを取得し、当該コードから取得される接続情報に基づいて、画像表示装置との通信接続を行うことができる。そして、画像表示装置は、当該通信端末に対して操作画面を送信し、通信端末にて当該操作画面を操作すると、画像表示装置が当該操作に応じて動作する。
これによれば、通信端末が、接続情報を取得することで、画像表示装置を操作するための操作画面を取得することができ、これにより、当該画像表示装置を操作することができる。従って、前述の特許文献１に記載のリモコンのような機器制御情報を登録することなく、画像表示装置と簡易に通信接続でき、当該画像表示装置を簡易に操作することができる。
【００１１】
本発明では、前記画像表示装置は、前記コード出力装置であり、前記画像表示装置は、前記コード生成装置により生成された前記コードを含む画像を生成し、前記コードを含む画像を表示するコード表示部を備え、前記通信端末は、前記コードを撮像する撮像手段を備え、前記コード取得部は、前記撮像手段により撮像された前記コードに係る画像を取得することが好ましい。
本発明によれば、通信端末は、画像として表示されたコードを撮像手段により撮像することで、当該コードを取得することができ、これにより、画像表示装置との通信接続、及び、当該画像表示装置の操作を行うことができる。従って、通信端末による画像表示装置の操作を一層簡易に行うことができる。
【００１２】
本発明では、前記画像表示装置は、前記コード生成装置であり、前記画像表示装置は、前記コードを生成するコード生成部を備えることが好ましい。
本発明によれば、画像表示装置に接続するための接続情報に係るコードを、当該画像表示装置が生成するので、当該接続情報が変更された場合でも、当該接続情報に係るコードを誤り無く生成することができる。
【００１３】
本発明では、前記コードは、２次元コードであることが好ましい。
このような２次元コードとして、ＱＲコード（登録商標）を採用することができるほか、マトリクス型及びスタック型の２次元コードを採用することができる。
本発明によれば、２次元コードは、１次元コードに比べて、保持できるデータ容量が大きいので、確実に接続情報を保持させることができる。また、２次元コードとしてＱＲコードを採用した場合には、２次元コードの一部が適切に表示又は撮像されない場合でも、誤り訂正機能を用いて、本来の２次元コードが有する接続情報を復元することができる。従って、通信端末が接続情報を確実に取得することができる。
【００１４】
本発明では、前記接続情報は、前記画像表示装置に設定されたＵＲＬであり、前記操作画面は、Ｗｅｂページとして送信されることが好ましい。
本発明によれば、接続情報が固有のＵＲＬであるので、通信端末が一層確実かつ簡易に画像表示装置に接続することが可能となる。また、操作画面が、Ｗｅｂページとして送信されるので、通信端末がＷｅｂページを表示可能なＷｅｂブラウザを有していれば、画像表示装置の操作画面を確実に取得及び表示することができるほか、操作画面を視覚的に操作しやすくすることができる。
【００１５】
また、本発明の画像表示装置は、入力される画像データに応じた画像を表示する画像表示装置であって、当該画像表示装置に通信端末が通信接続するための接続情報に係るコードを生成するコード生成部と、前記コード生成部により生成された前記コードを含む画像を表示するコード表示部と、前記接続情報に基づく通信接続が確立された前記通信端末に、当該画像表示装置を操作するための操作画面を送信する操作画面送信部と、前記操作画面に対する操作に応じて、当該画像表示装置を制御する動作制御部とを備えることを特徴とする。
本発明によれば、前述の通信端末を用いることにより、前述の表示システムと同様の効果を奏することができる。
【発明を実施するための最良の形態】
【００１６】
〔１．第１実施形態〕
以下、本発明の第１実施形態を図面に基づいて説明する。
〔表示システムの構成〕
図１は、本実施形態に係る表示システム１の構成を示すブロック図である。
本実施形態に係る表示システム１は、画像供給装置としてのＰＣ２と、画像表示装置としてのプロジェクタ３と、通信端末としての携帯電話機４とを備えている。このうち、ＰＣ２及びプロジェクタ３は、所定のネットワーク（例えば、インターネット）上に位置するルータ５を介するＬＡＮ（Local Area Network）により接続されている。
また、携帯電話機４は、同じくネットワークＮ上に位置する基地局６と無線通信可能に構成されている。そして、当該携帯電話機４は、詳しくは後述するが、プロジェクタ３から得られる接続情報（ＵＲＬ）に基づいて、当該基地局６、ネットワークＮ及びルータ５を介して、プロジェクタ３と通信接続する。
【００１７】
〔ＰＣの構成〕
ＰＣ２は、一般的なＰＣで構成され、本実施形態では、ノート型ＰＣで構成されている。具体的に、ＰＣ２は、マウス及びキーボード等により構成される操作手段２１と、当該ＰＣ２の動作時画面等に係る画像を表示する表示手段２２とを備えている。また、ＰＣ２は、当該動作時画面等に係る画像データを含むパケットを生成し、当該パケットを、接続されたプロジェクタ３に送信する。なお、前述のように、ＰＣ２は、プロジェクタ３とＬＡＮにより接続されているが、ＵＳＢ（Universal Serial Bus）等により、プロジェクタ３に直接接続される構成としてもよい。
【００１８】
〔プロジェクタの構成〕
プロジェクタ３は、ＰＣ２から送信される画像データに応じた画像をスクリーンＳＣ上に表示する。また、プロジェクタ３は、Ｗｅｂサーバとしての機能を有し、当該プロジェクタ３にアクセスした機器に対して、当該プロジェクタ３の操作画面に係るＷｅｂページを提供する。この際、プロジェクタ３は、固有のＩＰ（Internet Protocol）アドレスを有し、当該ＩＰアドレスに応じたＵＲＬを、当該プロジェクタ３への接続情報として有する２次元コードを生成し、当該２次元コードを含む画像をスクリーンＳＣ上に表示する。すなわち、本実施形態では、プロジェクタ３が、本発明の画像表示装置であり、コード生成装置であり、また、コード出力装置である。
【００１９】
図２は、プロジェクタ３の構成を示すブロック図である。
このような機能を実現するために、プロジェクタ３は、図２に示すように、操作手段３１、通信手段３２、画像処理手段３３、画像表示手段３４、記憶手段３５及び制御手段３６を備えている。
操作手段３１は、複数のキーが配設された操作パネルを備えて構成され、当該操作パネルは、プロジェクタ３の外面に露出するように設けられている。そして、操作手段３１は、各キーの入力操作に応じた操作信号を、制御手段３６に出力する。
通信手段３２は、制御手段３６の制御下で、プロジェクタ３に対するデータの入出力を制御する。
【００２０】
画像処理手段３３は、例えば、グラフィックスチップを備えて構成され、外部機器（例えば、画像供給装置としてのＰＣ２）から受信された画像データを処理する。具体的に、画像処理手段３３は、当該ＰＣ２から受信されたパケットを処理して画像データを復元し、図示しない描画メモリ上に当該画像データを展開する。
【００２１】
画像表示手段３４は、描画メモリ上に展開された画像データに応じた画像を形成し、当該画像をスクリーンＳＣ上に拡大投射する。このような画像表示手段３４は、詳しい図示を省略したが、光源装置と、当該光源装置から射出された光束を変調して画像光を形成する光変調装置と、形成された画像光を拡大投射する投射光学装置と、光変調装置の駆動を制御するドライバを備えている。
【００２２】
このうち、光変調装置は、本実施形態では、液晶パネルを備えて構成されている。そして、当該液晶パネルは、描画メモリ上に展開された画像データに基づいてドライバから入力される駆動信号に応じて、液晶の配向状態が制御されることで、入射光束の偏光方向が変調され、これにより、当該画像データに応じた画像光が形成される。
なお、光変調装置は、液晶パネルを備える構成に限定されるものではなく、例えば、マイクロミラーを用いたデバイス等、液晶以外の構成を採用してもよい。
【００２３】
記憶手段３５は、例えば、不揮発性メモリで構成され、プロジェクタ３全体の処理に必要な各種プログラム及びデータを記憶する。このようなプログラムとして、例えば、制御手段３６にて実行され、後述する２次元コードを生成するための２次元コード生成プログラム、Ｗｅｂサーバとして機能するためのサーバプログラム、及び、Ｗｅｂページを生成するためのＷｅｂページ生成プログラム等が挙げられる。また、記憶手段３５に記憶されるデータとして、プロジェクタ３に固有のＩＰアドレス等が挙げられる。なお、このようなＩＰアドレスは、使用者により予め設定されていてもよく、或いは、プロジェクタ３がネットワーク上から自動で取得及び設定するようにしてもよい。
【００２４】
制御手段３６は、例えば、ＣＰＵ（Central Processing Unit）等を備えて構成され、記憶手段３５に記憶されたプログラム及びデータに沿って、プロジェクタ３全体を制御する。このような制御手段３６は、動作制御部３６１、ＩＰアドレス取得部３６２、コード生成部３６３、コード表示部３６４、接続確立部３６５、操作画面生成部３６６、操作画面送信部３６７及び受信情報解析部３６８を備えている。
【００２５】
動作制御部３６１は、プロジェクタ３全体を制御する。例えば、使用者の入力操作に応じて操作手段３１から入力する制御信号に基づいて、プロジェクタ３に設定された設定内容（例えば、輝度値等）を変更し、当該設定内容に基づいて、プロジェクタ３を駆動させる。また、動作制御部３６１は、後述する携帯電話機４から受信され、受信情報解析部３６８により解析された受信情報に基づいて、プロジェクタ３の設定内容の変更及び当該設定内容に基づく動作制御を行う。
【００２６】
ＩＰアドレス取得部３６２、コード生成部３６３及びコード表示部３６４は、電源投入時、或いは、使用者の操作に応じて２次元コード生成プログラムが実行された際に機能する。
ＩＰアドレス取得部３６２は、記憶手段３５から前述のＩＰアドレスを取得する。
コード生成部３６３は、サーバプログラムが実行されて、プロジェクタ３がＷｅｂサーバとして機能する際の当該プロジェクタ３への接続情報としてのＵＲＬ（Uniform Resource Locator）を、取得されたＩＰアドレスに基づいて生成する。そして、当該コード生成部３６３は、生成されたＵＲＬに応じた２次元コードを生成する。このような２次元コードとして、本実施形態では、ＱＲコード（登録商標）を生成するが、これに限らず、マトリクス型及びスタック型など、他の２次元コードであってもよい。また、２次元コードではなく、１次元コードでもよく、更には、２次元コードを時系列で変化させる３次元コードでもよい。
【００２７】
コード表示部３６４は、生成された２次元コードに係る画像を、画像処理手段３３及び画像表示手段３４により、スクリーンＳＣ上に表示させる。このような２次元コードは、例えば、図１における２次元コード表示領域ＤＡとして示すように、スクリーンＳＣ上の画像表示領域における略中央に表示される。
このようにして、プロジェクタ３への接続のために用いられるＵＲＬを有する２次元コード（当該ＵＲＬが暗号化された２次元コード）が、後述する携帯電話機４により撮像可能となり、当該携帯電話機４により、当該ＵＲＬが復元されて、携帯電話機４によるプロジェクタ３との通信接続が可能となる。
【００２８】
図２に戻り、接続確立部３６５は、プロジェクタ３の電源投入時から実行されるサーバプログラムにより機能する。この接続確立部３６５は、前述のＵＲＬに基づいてプロジェクタ３にアクセス（通信接続の要求）した外部機器（例えば、携帯電話機４）との通信接続を確立する。また、これに伴い、接続確立部３６５は、Ｗｅｂページ生成プログラムを制御手段３６に実行させ、操作画面生成部３６６、操作画面送信部３６７及び受信情報解析部３６８を機能させる。
【００２９】
操作画面生成部３６６は、プロジェクタ３の操作及び各種設定を行うための操作画面となるＷｅｂページを生成する。なお、当該操作画面において、後に詳述する。
操作画面送信部３６７は、生成されたＷｅｂページを、接続先の外部機器（接続先機器）に、通信手段３２を介して送信する。
受信情報解析部３６８は、接続先機器から受信された操作情報を解析し、送信した操作画面にて設定された項目及び当該項目の設定内容を取得する。そして、取得された設定内容に基づいて、前述の動作制御部３６１が、プロジェクタ３の動作を制御するほか、必要に応じて、当該設定内容を記憶手段３５にデータとして記憶させる。
【００３０】
〔携帯電話機の構成〕
図３は、携帯電話機４の構成を示すブロック図である。
携帯電話機４は、携帯電話会社の基地局を介して、他の携帯電話機及び固定電話機と通話可能に構成されている。また、携帯電話機４は、前述の２次元コードを撮像して、当該２次元コードからＵＲＬを取得し、当該ＵＲＬに基づいてプロジェクタ３との通信接続を行う。そして、携帯電話機４は、プロジェクタ３から取得された操作画面を操作することで、当該プロジェクタ３を遠隔操作する。
このような携帯電話機４は、図３に示すように、操作手段４１、表示手段４２、撮像手段４３、通信手段４４、記憶手段４５及び制御手段４６を備えている。
【００３１】
操作手段４１は、本発明の操作部に相当し、０〜９までの数字が表記された数字キー、通話開始キー、通話終了キー、十字キー、決定キー及びクリアキー等、携帯電話機４を操作するための複数のキーにより構成され、当該各キーの入力に応じた操作信号を、制御手段４６に出力する。
表示手段４２は、携帯電話機４の動作状態を示す画像や、Ｗｅｂページとして取得したプロジェクタ３の操作画面に係る画像等を表示する。このような表示手段４２としては、例えば、液晶パネル及び有機ＥＬ（Electroluminescence）パネル等により構成することができる。
【００３２】
撮像手段４３は、ＣＣＤ（Charge Coupled Device）又はＣＭＯＳ（Complementary Metal Oxide Semiconductor）デバイス等により構成され、使用者による所望の画像を撮像する。また、この撮像手段４３は、プロジェクタ３のＵＲＬを取得する際に、表示された２次元コードの撮像にも用いられる。
【００３３】
通信手段４４は、制御手段４６の制御下で、携帯電話機４に対するデータの入出力を制御する。すなわち、携帯電話機４とプロジェクタ３とが通信接続を行う際には、当該プロジェクタ３の通信手段３２と、通信手段４４との間で、データの入出力が行われる。
記憶手段４５は、携帯電話機４の動作に必要な各種プログラム及びデータを記憶する。例えば、記憶手段４５は、電話帳等を記憶するほか、撮像手段４３により撮像された画像を記憶する。また、記憶手段４５は、制御手段４６により解析されたＵＲＬを記憶する。これにより、当該ＵＲＬを取得したプロジェクタ３に対しては、ＩＰアドレスが変更されない限り、前述の２次元コードを再度取得することなく、当該プロジェクタ３の操作画面を取得して操作することができる。
【００３４】
制御手段４６は、携帯電話機４全体を制御する。このような制御手段４６は、コード取得部４６１、コード解析部４６２、接続確立部４６３、操作画面取得部４６４、操作画面表示部４６５及び操作情報送信部４６６を備えている。
コード取得部４６１は、撮像手段４３により撮像された２次元コードを含む画像を取得する。
コード解析部４６２は、本発明の接続情報取得部に相当し、取得された２次元コードを解析し、当該２次元コードに含まれる前述のＵＲＬを取得する。そして、コード解析部４６２は、当該ＵＲＬを記憶手段４５に記憶させる。
【００３５】
接続確立部４６３は、取得されたＵＲＬに基づいて、プロジェクタ３にアクセス（接続要求）し、当該プロジェクタ３との通信接続を確立する。
操作画面取得部４６４は、Ｗｅｂサーバとして機能するプロジェクタ３から、当該プロジェクタ３の操作画面に係る画像データを取得する。
操作画面表示部４６５は、取得された画像データに基づいて、プロジェクタ３の操作画面を表示手段４２に表示させる。すなわち、操作画面表示部４６５は、Ｗｅｂページを取得して、当該Ｗｅｂページの内容を表示するＷｅｂブラウザとして機能する。
操作情報送信部４６６は、操作画面における入力操作を、操作情報としてプロジェクタ３に送信する。
【００３６】
〔操作画面〕
図４〜図８は、携帯電話機４にて表示されるプロジェクタ３の操作画面の一例を示す図である。このうち、図４は、操作画面のトップページを示す図である。
ここで、プロジェクタ３からＷｅｂページとして携帯電話機４により取得され、かつ、当該プロジェクタ３を操作する操作画面について説明する。
接続確立部４６３により、通信接続が確立したプロジェクタ３から、操作画面取得部４６４により操作画面に係る画像データが取得されると、操作画面表示部４６５により、表示手段４２上に、図４に示す操作画面のトップページが表示される。
このトップページでは、当該操作画面を取得したプロジェクタ３の名称（図４〜図９では、「プロジェクタＡ」と表記）と、各種設定項目（図４における「表示設定」、「画質調整」、「映像」、「設定」、「拡張設定」、「ネットワーク」及び「情報」）を示す項目キーとが表示される。そして、これら項目キーのうちのいずれか（図４においては、「画質調整」キー）が選択されると、図４に示すように、選択された項目キーが拡大し、キー内に当該項目キーにより設定される内容の簡単な説明が表示される。
【００３７】
図５は、図４において示した操作画面にて「画質調整」の項目キーが入力された場合に表示される操作画面を示す図である。
トップページにて所望の項目キーが入力（十字キーにより項目キーが選択された後、「決定」キーが入力）されると、操作情報送信部４６６が、入力された項目キーの種別を含む操作情報を、通信手段４４を介してプロジェクタ３に送信する。この操作情報は、プロジェクタ３の受信情報解析部３６８により解析され、当該操作情報に応じて新たな操作画面が、操作画面生成部３６６により生成される。そして、当該操作画面に係る画像データは、操作画面送信部３６７により送信され、当該画像データは、操作画面取得部４６４により取得される。これにより、図５に示すように、入力された項目キーに応じた操作画面が、表示手段４２にて表示される。なお、図５に示す操作画面は、トップページにて「画質調整」キーを入力した場合の操作画面である。
【００３８】
図５に示す操作画面では、「画質調整」に係る設定項目名（図５における「カラーモード」、「明るさ」、「シャープネス」、「絶対色温度」、「カラー調整」及び「初期化」）が表記された複数の項目キーと、前の操作画面に戻るための「戻る」キーとが表示される。なお、図５では、「カラーモード」キーが選択されている状態を示している。
そして、この操作画面において、いずれかの項目キー（例えば、「カラーモード」の項目キー）が入力されると、前述の場合と同様に、入力されたキーの種別を含む操作情報が、操作情報送信部４６６によりプロジェクタ３に送信され、当該プロジェクタ３から、新たな操作画面に係る画像データが取得される。
【００３９】
図６は、図５において示した操作画面にて「カラーモード」キーが入力された場合に表示される操作画面を示す図である。
新たに取得された操作画面には、図６に示すように、図５に示した操作画面にて入力した項目キーに係る設定項目の選択項目（図６における「ダイナミック」、「プレゼンテーション」、「シアター」、「フォト」、「スポーツ」及び「黒板」）がキーとして表示される。なお、図６においては、「シアター」キーが選択されている状態を示している。
そして、当該選択項目に係るキーのいずれかを入力すると、前述の場合と同様に、操作情報の送信、及び、新たな画像データの取得が行われる。
【００４０】
図７は、図６において示した操作画面にて「シアター」キーが入力された場合に表示あされる操作画面を示す図である。また、図８は、図７において示す操作画面にて「はい」キーが入力された場合に表示される操作画面を示す図である。
図６の操作画面にて「シアター」キーが入力されると、携帯電話機４では、新たに取得された画像データに基づいて、図７に示す操作画面が表示されることとなる。ここで、当該操作画面にて「はい」キーが入力されると、当該キーの入力に応じて送信される操作情報を、プロジェクタ３の受信情報解析部３６８が解析する。そして、動作制御部３６１が、記憶手段３５に記憶されている設定内容を更新し、当該設定内容に応じてプロジェクタ３を動作させる。
【００４１】
このようにして設定内容が変更されたプロジェクタ３では、操作画面生成部３６６が、図８に示す操作画面に係る画像データを生成し、操作画面送信部３６７が、当該画像データを携帯電話機４に送信することで、当該操作画面が表示される。
なお、図８に示す操作画面にて、「戻る」キーが入力された場合には、設定内容を変更した設定項目を選択した操作画面、すなわち、図５において示した操作画面に戻ることとなる。
【００４２】
〔プロジェクタ及び携帯電話機の処理〕
図９は、プロジェクタ３及び携帯電話機４の処理を示すフローチャートである。
前述のように、プロジェクタ３の電源投入時、或いは、使用者により操作手段３１に対する所定の入力操作が行われると、プロジェクタ３のＩＰアドレス取得部３６２が、記憶手段３５から、当該プロジェクタ３に設定された固有のＩＰアドレスを取得する（ステップＳＡ１）。
この後、コード生成部３６３が、取得されたＩＰアドレスに基づいて、Ｗｅｂサーバとして機能するプロジェクタ３のＵＲＬを生成し、当該ＵＲＬに応じた２次元コードを生成する（ステップＳＡ２）。
【００４３】
そして、コード表示部３６４が、生成された２次元コードを含む画像を、画像処理手段３３及び画像表示手段３４により、スクリーンＳＣに表示する（ステップＳＡ３）。
この後、接続確立部３６５が、２次元コードを撮像した外部機器（例えば、携帯電話機４）からの通信接続要求があるか否かを判定し（ステップＳＡ４）、通信接続要求がない場合には、当該要求があるまでＷｅｂサーバとしての機能を待機させる。
【００４４】
一方、携帯電話機４においては、撮像手段４３により、表示された２次元コードが撮像されると、制御手段４６のコード取得部４６１が、当該２次元コードに係る画像を取得し（ステップＳＢ１）、コード解析部４６２が、当該２次元コードを解析して、接続情報としてのＵＲＬを取得する（ステップＳＢ２）。
この後、接続確立部４６３が、当該ＵＲＬに基づいて、プロジェクタ３に接続及びＷｅｂページ（操作画面に係るＷｅｂページ）の要求を行い（ステップＳＢ３）、当該接続確立部４６３は、プロジェクタ３から通信要求に対する応答、及び、Ｗｅｂページに係る画像データが受信されたか否かを判定する（ステップＳＢ４）。この際、接続確立部４６３は、受信されていないと判定した場合には、当該データが受信されるまで待機する。
【００４５】
携帯電話機４から接続及びＷｅｂページの要求がなされたプロジェクタ３では、ステップＳＡ４での判定処理にて、接続確立部３６５が、携帯電話機４との通信接続を確立する。そして、操作画面生成部３６６が、プロジェクタ３の操作画面に係るＷｅｂページを生成し、操作画面送信部３６７が、生成された当該Ｗｅｂページを、携帯電話機４に送信する（ステップＳＡ５）。
【００４６】
次に、接続確立部３６５が、携帯電話機４からの操作情報を受信したか否かを判定する（ステップＳＡ６）。ここで、接続確立部３６５が、受信されていないと判定すると、当該接続確立部３６５は、直前に操作画面に係るＷｅｂページを送信してからの時間が所定の時間を経過したか否か（タイムアウトが発生したか否か）を判定する（ステップＳＡ７）。この判定処理にて、接続確立部３６５が、所定の時間を経過していないと判定した場合には、再度ステップＳＡ６を実行する。一方、所定の時間を経過した（タイムアウトが発生した）と判定した場合には、接続確立部３６５は、携帯電話機４との通信接続を遮断して、処理を終了する。
【００４７】
また、ステップＳＢ４での判定処理にて、接続確立部４６３により、プロジェクタ３からの応答があったと判定された場合には、操作画面取得部４６４が、操作画面に係るＷｅｂページを取得し（ステップＳＢ５）、操作画面表示部４６５が、取得されたＷｅｂページを表示手段４２に表示させる（ステップＳＢ６）。
そして、操作情報送信部４６６が、表示された操作画面上での使用者の入力操作を示す前述の操作情報を、プロジェクタ３に送信する（ステップＳＢ７）。
【００４８】
この後、制御手段４６は、入力操作が終了したか否か、すなわち、Ｗｅｂページが閉じられたか否かを判定し、終了していない（閉じられていない）と判定した場合には、ステップＳＢ４に戻り、新たなＷｅｂページ（操作画面）の取得に備える。
一方、入力操作が終了した（Ｗｅｂページが閉じられた）と判定した場合には、制御手段４６は、Ｗｅｂページによりプロジェクタ３を遠隔操作する処理を終了する。
【００４９】
一方、ステップＳＡ６での判定処理において、接続確立部３６５により、携帯電話機４からの操作情報が受信されたと判定した場合には、受信情報解析部３６８が、当該操作情報を解析する。そして、当該操作情報に基づいて、動作制御部３６１が、設定内容が変更されたと判定した場合には、当該動作制御部３６１は、記憶手段３５に記憶された設定内容を更新し、当該設定内容に応じてプロジェクタ３を動作させる（ステップＳＡ８）。また、制御手段３６は、ステップＳＡ５に戻り、当該操作情報に応じて、次に表示させる操作画面に係るＷｅｂページを生成及び送信する。
【００５０】
以上説明した本実施形態に係る表示システム１によれば、以下の効果がある。
（１）通信端末としての携帯電話機４は、プロジェクタ３にて生成及び出力（表示）された２次元コードを撮像及び取得し、当該２次元コードに応じたＵＲＬを取得する。そして、携帯電話機４は、当該ＵＲＬに基づいて、Ｗｅｂサーバとして機能するプロジェクタ３と通信接続し、当該プロジェクタ３から操作画面を取得して、当該操作画面上で、プロジェクタ３を遠隔操作する。これによれば、携帯電話機４がＵＲＬを取得することにより、簡易にプロジェクタ３との通信接続を行うことができ、操作画面を取得して、当該プロジェクタ３を簡易に操作することができる。
【００５１】
（２）携帯電話機４は、プロジェクタ３により生成及び表示された２次元コードを撮像手段４３により撮像することで、当該２次元コードを取得する。これによれば、プロジェクタ３のＵＲＬの取得を容易に行うことができ、プロジェクタ３の遠隔操作に伴う使用者の操作を一層簡略化することができる。従って、携帯電話機４によるプロジェクタ３の操作を一層簡易に行うことができる。
【００５２】
（３）ここで、プロジェクタ３の使用環境が変化すれば、当該プロジェクタ３のＩＰアドレスが変化する場合があり、これに応じて、接続情報としてのＵＲＬも変化する可能性がある。これに対し、プロジェクタ３は、当該プロジェクタ３のＵＲＬに応じた２次元コードを自ら生成するので、当該ＩＰアドレスが変更された場合でも、変更されたＩＰアドレスに基づくＵＲＬが生成され、当該ＵＲＬに応じた２次元コードを誤り無く生成することができる。従って、携帯電話機４によるプロジェクタ３との通信接続を確実に行うことができる。
【００５３】
（４）プロジェクタ３は、接続情報であるＵＲＬを比較的保持データ量の大きな２次元コードを表示するので、当該ＵＲＬを確実に２次元コードに保持させることができる。また、２次元コードとしてＱＲコードを採用しているので、２次元コードの一部が適切に表示、又は、撮像されない場合でも、誤り訂正機能を用いて、本来の２次元コードが有するＵＲＬを復元することができる。従って、携帯電話機４が当該ＵＲＬを確実に取得することができ、これにより、当該携帯電話機４とプロジェクタ３との通信接続を確実に行うことができる。
【００５４】
（５）プロジェクタ３への接続に必要な接続情報は、プロジェクタ３に固有のＩＰアドレスに基づくＵＲＬであるので、Ｗｅｂ通信機能を有する近年の携帯電話機であれば、当該プロジェクタ４との通信接続を行うことができ、これにより、携帯電話機４とプロジェクタ３との通信接続を確実に行うことができる。また、携帯電話機４には、操作画面がＷｅｂページとして送信されるので、プロジェクタ３の操作画面を確実に取得及び表示することができるほか、操作画面における入力操作を容易に行うことができる。
【００５５】
〔２．第２実施形態〕
次に、本発明の第２実施形態に係る表示システムを説明する。
本実施形態に係る表示システムは、前述の表示システム１の構成に加え、ＰＣ２Ａに接続されるプリンタ７を備える。そして、前述の表示システム１では、プロジェクタ３に接続するための接続情報（ＵＲＬ）を、当該プロジェクタ３が生成したのに対し、本実施形態に係る表示システムでは、ＰＣが生成及び出力する。この点において、本実施形態に係る表示システムと、前述の表示システム１とは相違する。なお、以下の説明では、既に説明した部分と同一または略同一である部分については、同一の符号を付して説明を省略する。
【００５６】
図１０は、本実施形態に係る表示システム１Ａの構成を示す模式図である。
本実施形態に係る表示システム１Ａは、図１０に示すように、画像供給装置としてのＰＣ２Ａと、画像表示装置としてのプロジェクタ３Ａと、通信端末としての携帯電話機４とを備えている。また、ＰＣ２Ａ及びプロジェクタ３Ａは、ネットワークＮ上に位置するルータ５に接続され、また、当該ＰＣ２Ａには、ＰＣ２Ａから送信された画像データを印刷するプリンタ７が、ルータ５を介して接続されている。更に、携帯電話機４は、前述の表示システム１と同様に、基地局６と無線にて接続される。
【００５７】
図１１は、ＰＣ２Ａ及びプロジェクタ３Ａの構成を示すブロック図である。
ＰＣ２Ａは、ルータ５を介して、プロジェクタ３Ａに画像データを送信し、プロジェクタ３Ａは、当該画像データに応じた画像を形成及び投射する。
このうち、プロジェクタ３Ａは、図１１に示すように、制御手段３６に代えて制御手段３６Ａを備えるほかは、プロジェクタ３と同様の構成を備えている。
また、制御手段３６Ａは、動作制御部３６１、接続確立部３６５、操作画面生成部３６６、操作画面送信部３６７及び受信情報解析部３６８を備えている。すなわち、プロジェクタ３Ａは、自身での２次元コードの生成を行わないほかは、前述のプロジェクタ３と同様の機能を実現する。
【００５８】
ＰＣ２Ａは、前述のＰＣ２と同様に、ノート型ＰＣで構成され、マウス及びキーボード等により構成された操作手段２１と、動作時画像等を表示する液晶パネルで構成された表示手段２２とを備えている。また、この他、ＰＣ２Ａは、記憶手段２３及び制御手段２４を備えている。
【００５９】
記憶手段２３は、ＨＤＤ等により構成され、ＰＣ２Ａの動作に必要な各種プログラム及びデータを記憶している。このようなプログラムとして、記憶手段２３は、ＰＣ２Ａを動作させるＯＳ（Operation System）の他、携帯電話機４がプロジェクタ３Ａと接続するための接続情報であるＵＲＬに応じた２次元コードを生成するコード生成プログラム等を記憶している。また、記憶手段２３は、データとして、プロジェクタ３ＡのＩＰアドレス等を記憶している。このＩＰアドレスは、使用者が直接入力してもよく、或いは、ルータ５に接続されたサーバ等から取得するようにしてもよい。
【００６０】
制御手段２４は、記憶手段２３に記憶されたプログラムに沿って、ＰＣ２Ａ全体を制御するものであり、ＣＰＵ等が実装された回路基板として構成されている。この制御手段２４は、２次元コードを生成及び出力するコード出力プログラムが実行された際に機能するＩＰアドレス取得部２４１、コード生成部２４２及びコード出力部２４３を備えている。すなわち、本実施形態では、ＰＣ２Ａが、本発明の画像供給装置であり、コード生成装置であり、また、コード出力装置である。
【００６１】
ＩＰアドレス取得部２４１は、記憶手段２３に記憶されたＩＰアドレスを取得する。
コード生成部２４２は、取得されたＩＰアドレスから、Ｗｅｂサーバとして機能するプロジェクタ３ＡにアクセスするためのＵＲＬを生成し、当該ＵＲＬに応じた２次元コードを生成する。
コード出力部２４３は、生成された２次元コードに係る画像を、表示手段２２に表示させるほか、当該２次元コードを含む画像データを、当該ＰＣ２Ａにルータ５を介して接続されたプロジェクタ３Ａ及びプリンタ７に出力する。これにより、プロジェクタ３Ａは、当該画像データに基づいて、２次元コードを含む画像をスクリーンＳＣ上に投射し、プリンタ７は、当該画像を印刷する。
【００６２】
以下、ＰＣ２Ａの処理について説明する。
図１２は、ＰＣ２Ａにより実行されるコード出力プログラムを示すフローチャートである。
使用者の操作により、コード出力プログラムが実行されると、ＰＣ２Ａでは、コード出力処理が行われる。このコード出力処理では、図１２に示すように、まず、ＩＰアドレス取得部２４１が、プロジェクタ３ＡのＩＰアドレスを取得する（ステップＳＣ１）。
次に、コード生成部２４２が、取得されたＩＰアドレスに基づいて、前述のＵＲＬを生成し、当該ＵＲＬに応じた２次元コードを生成する（ステップＳＣ２）。
この後、コード出力部２４３が、生成された２次元コードに係る画像を表示手段２２に表示させるほか、当該２次元コードに係る画像データを、プロジェクタ３Ａ及びプリンタ７に出力する（ステップＳＣ３）。すなわち、本実施形態では、プロジェクタ３Ａ及びプリンタ７は、本発明のコード出力装置としても機能する。
以上により、コード出力処理が終了する。
【００６３】
このように表示及び印刷された２次元コードを、携帯電話機４が撮像して、前述のステップＳＢ１〜ＳＢ８を処理する一方で、プロジェクタ３Ａが、前述のステップＳＡ４〜ＳＡ８を処理することにより、本実施形態の表示システム１Ａにおいても、携帯電話機４により、プロジェクタ３Ａを遠隔操作することが可能となる。
【００６４】
以上説明した本実施形態の表示システム１Ａによれば、前述の表示システム１が奏することのできる効果（１）、（２）、（４）及び（５）と同様の効果を奏することができるほか、以下の効果を奏することができる。
（６）プロジェクタ３ＡのＩＰアドレスに基づくＵＲＬに応じた２次元コードは、ＰＣ２Ａのコード生成部２４２により行われる。これによれば、プロジェクタ３Ａの演算処理性能に比べて、高い演算処理性能を有するＰＣ２Ａが２次元コードの生成を行うので、プロジェクタ３Ａの処理負担を軽減することができる。また、一般的なＰＣを構成する記憶手段は、記憶容量が比較的大きく、また、当該ＰＣへのプログラムのインストールは簡易に行うことができるので、２次元コードの生成を実行させるプログラムをプロジェクタ２Ａに導入する場合に比べ、当該プログラムの導入を容易に行うことができる。
【００６５】
〔３．実施形態の変形〕
本発明は前述の実施形態に限定されるものではなく、本発明の目的を達成できる範囲での変形、改良等は本発明に含まれるものである。
前記各実施形態では、表示システム１，１Ａは、１台のプロジェクタ３，３Ａを備える構成としたが、本発明はこれに限らない。すなわち、表示システムを構成する画像表示装置としてのプロジェクタの台数は、適宜設定してよい。また、このように操作対象のプロジェクタが複数設けられている場合には、携帯電話機４にて、各プロジェクタの操作画面に対応するＷｅｂページを複数取得し、操作対象のプロジェクタが切り替わるごとに、当該Ｗｅｂページを切り替えて表示するようにすればよい。
【００６６】
前記第２実施形態では、携帯電話機４によりプロジェクタ３Ａを操作する際に、ＰＣ２Ａにて２次元コードを生成及び出力するとしたが、本発明はこれに限らない。すなわち、ＰＣ２Ａにて予め２次元コードを生成して、当該２次元コードを印刷した印刷物をプロジェクタに貼付しておくことで、接続情報を有する２次元コードに係る画像を撮像可能に構成してもよい。
【００６７】
前記各実施形態では、画像供給装置としてＰＣ２，２Ａを、画像表示装置としてプロジェクタ３，３Ａを、また、通信端末として携帯電話機４をそれぞれ例示したが、本発明はこれに限らない。すなわち、画像供給装置としては、例えば、ディスク型記録媒体のプレイヤであってもよく、画像表示装置としては、例えば、液晶、プラズマ、有機ＥＬ、ＣＲＴ（Cathode Ray Tube）等の各種ディスプレイであってもよい。また、通信端末としては、ＰＤＡ（Personal Digital Assistant）等であってもよい。
【産業上の利用可能性】
【００６８】
本発明は、画像表示装置及び通信端末を備えた表示システムに利用することができ、特に、ネットワークが形成された企業で用いられる表示システムとして好適に利用することができる。
【図面の簡単な説明】
【００６９】
【図１】本発明の第１実施形態に係る表示システムの構成を示す模式図。
【図２】前記実施形態におけるプロジェクタの構成を示すブロック図。
【図３】前記実施形態における携帯電話機の構成を示すブロック図。
【図４】前記実施形態における操作画面に係るＷｅｂページの一例を示す図。
【図５】前記実施形態における操作画面に係るＷｅｂページの一例を示す図。
【図６】前記実施形態における操作画面に係るＷｅｂページの一例を示す図。
【図７】前記実施形態における操作画面に係るＷｅｂページの一例を示す図。
【図８】前記実施形態における操作画面に係るＷｅｂページの一例を示す図。
【図９】前記実施形態におけるプロジェクタ及び携帯電話機の処理を示すフローチャート。
【図１０】本発明の第２実施形態に係る表示システムの構成を示す模式図。
【図１１】前記実施形態におけるＰＣ及びプロジェクタの構成を示すブロック図。
【図１２】前記実施形態におけるＰＣの処理を示すフローチャート。
【符号の説明】
【００７０】
１，１Ａ…表示システム、２，２Ａ…ＰＣ（画像供給装置、コード生成装置、コード出力装置）、３，３Ａ…プロジェクタ（画像表示装置、コード生成装置、コード出力装置）、４…携帯電話機（通信端末）、７…プリンタ（コード出力装置）、４１…操作手段（操作部）、４３…撮像手段、３６１…動作制御部、３６４…コード表示部、３６７…操作画面送信部、４６１…コード取得部、４６２…コード解析部（接続情報取得部）、４６３…接続確立部、４６４…操作画面取得部。
【図１】
2009253890.tif 000003
【図２】
2009253890.tif 000004
【図３】
2009253890.tif 000005
【図４】
2009253890.tif 000006
【図５】
2009253890.tif 000007
【図６】
2009253890.tif 000008
【図７】
2009253890.tif 000009
【図８】
2009253890.tif 000010
【図９】
2009253890.tif 000011
【図１０】
2009253890.tif 000012
【図１１】
2009253890.tif 000013
【図１２】
2009253890.tif 000014